(57)【要約】      （修正有）【課題】各種施設の制御盤に使用されるセレクトスイッチの点検後の戻し忘れを防止することができる誤位置防止具を提供する。【解決手段】制御盤の所定位置に複数個配列されたセレクトスイッチの回転操作する各操作つまみ部に係合する係合部を有し、連結部材１で連結されたテンプレート２を制御盤に着脱自在に設け、操作つまみ部が所定の位置のとき、テンプレートが操作つまみ部に係合するように構成する。係合部が、操作つまみ部に挿入する穴または凹所、あるいは操作つまみ部の外周に当接する複数個のピンであるのが好ましい。セレクトスイッチの戻し忘れがあっても、ポジションの間違いに容易に気付き、セレクトスイッチに誤位置防止具が取り付けられていることを確認するだけで、所定のポジションになっていることが判る。【選択図】図７
0003193951.tif 000002
【実用新案登録請求の範囲】
【請求項１】
制御盤等の所定位置には、回転操作する操作つまみ部を有するセレクトスイッチが複数個配列され、前記セレクトスイッチの前記操作つまみ部に係合する係合部を設けたテンプレートが前記制御盤に着脱自在に設けられ、前記操作つまみ部が所定の位置のとき、前記テンプレートが前記操作つまみ部に係合するように構成したセレクトスイッチの誤位置防止具。
【請求項２】
テンプレートに設けた係合部が、セレクトスイッチの操作つまみ部に挿入する穴または凹所である請求項１に記載のセレクトスイッチの誤位置防止具。
【請求項３】
テンプレートに設けた係合部が、セレクトスイッチの操作つまみ部の外周に当接する複数個のピンである請求項１に記載のセレクトスイッチの誤位置防止具。
【請求項４】
円形の操作つまみ部の外周に表示用突起を設け、この表示用突起の外側にテンプレートの係合部を係合させる請求項１に記載のセレクトスイッチの誤位置防止具。
【考案の詳細な説明】
【技術分野】
【０００１】  本考案は、上・下水処理場、工場・プラント、その他施設の制御盤に使用されるセレクトスイッチの誤位置防止具に関する。
【背景技術】
【０００２】  制御盤にはスイッチ類が取り付けられている。この内セレクトスイッチは１個毎に「入」又は「切」などと設定状態がいずれかに決定されている。この設定は、オペレーターがセレクトスイッチの操作つまみ部を回転することによりおこなわれる。オペレーターは、点検運転操作、運転切り替え操作などをする。【０００３】  この内、点検運転操作では、例えば、自動運転の設定になっているセレクトスイッチを操作して切にして、機器の点検をしたり、あるいは手動にして電流値を確認したりする。その後、自動運転の状態に戻すが、このとき、戻し忘れが発生することがある。あるいは、手動運転の設定から切にして、点検後元の手動に戻すが、このとき、戻し忘れが発生し、セレクトスイッチが誤った状態のままになってしまう場合がある。【０００４】  戻し忘れによって、運転すべき機器が運転されなかったり、又は、運転しないはずの機器が運転されたりする場合が発生し、システム異常を発生する場合がある。【０００５】  この様なセレクトスイッチが所定の状態にない誤位置状態を防止するために、従来は、操作盤にマーカーを貼り、セレクトスイッチの操作つまみ部の回転位置と、マーカーとの位置が合っていることを目視確認して、セレクトスイッチの誤位置防止を図ってきた。
【考案の概要】
【考案が解決しようとする課題】
【０００６】  ところが、セレクトスイッチの誤位置状態を防止するために目視確認を行った場合、確認者の記憶に委ねているため、誤認することがある。また、確認者の経験や素質によって正確な確認が行われないこともある。【０００７】  本考案の課題は、セレクトスイッチの操作時に、所定の状態に戻し忘れることを防止することができるセレクトスイッチの誤位置防止具を提供することにある。
【課題を解決するための手段】
【０００８】  請求項１の考案は、複数個のセレクトスイッチに係合するテンプレートが、連結部材で一体化され、セレクトスイッチのポジションが所定の状態のとき、テンプレートがセレクトスイッチの操作つまみ部に係合するようになったもので、着脱が自在であり、通常は、セレクトスイッチに取り付いた状態になる。セレクトスイッチが所定のポジションにない場合は、そこのテンプレートが係合できず、一体化された複数個のテンプレートは、全体として、斜めになったり、セレクトスイッチから脱落したりする。【０００９】  請求項２の考案は、請求項１に記載のテンプレートの係合部が穴形状、又は、凹形状のものである。【００１０】  請求項３の考案は、請求項１に記載のテンプレートの係合部が、セレクトスイッチのつまみ部外周に当接する複数個のピン形状のものである。【００１１】  請求項４の考案は、セレクトスイッチの操作つまみ部が円形状のとき、表示用突起を設け、請求項１に記載のテンプレートの係合部が、表示用突起、及び、操作つまみ部外周と係合するものである。
【考案の効果】
【００１２】  一体化された複数個のテンプレートがセレクトスイッチのつまみ部に接していれば、セレクトスイッチのポジションが所定の位置にあり、誤ったポジションの場合は、一体化されたテンプレートがつまみ部と接することがなく、斜めに取りついたり、脱落したりする。【００１３】  したがって、オペレーターは、一体化されたテンプレート、すなわち連結部材とテンプレートで構成された誤位置防止具を使用すれば、ポジションの異常に容易に気が付くことができる。【００１４】  誤位置防止具は、操作時以外は常時取り付けて置くことができ、セレクトスイッチのポジションが正常あることは、誤位置防止具が取り付いていることを確認するだけで判断できる。
【図面の簡単な説明】
【００１５】
【図１】  従来技術の、本考案を使用する前のセレクトスイッチの正面図。
【図２】  従来技術の、本考案を使用する前のセレクトスイッチの側面図。
【図３】  従来技術の、本考案を使用する前のセレクトスイッチの正面図。
【図４】  従来技術の、本考案を使用する前のセレクトスイッチの側面図。
【図５】  請求項２の考案を使用したセレクトスイッチの正面図。
【図６】  請求項２の考案を使用したセレクトスイッチの側面図。
【図７】  請求項３の考案を使用したセレクトスイッチの正面図。
【図８】  請求項３の考案を使用したセレクトスイッチの側面図。
【図９】  請求項３の考案を使用したセレクトスイッチの正面図。
【図１０】  請求項３の考案を使用したセレクトスイッチの側面図。
【図１１】  請求項４の考案を使用したセレクトスイッチの正面図。
【図１２】  請求項４の考案を使用したセレクトスイッチの側面図。
【考案を実施するための形態】
【００１６】  本考案によるセレクトスイッチの誤位置防止具は、制御盤等の所定位置には、回転操作する操作つまみ部を有するセレクトスイッチが複数個配列され、前記セレクトスイッチの前記操作つまみ部に係合する係合部を設けたテンプレートが前記制御盤に着脱自在に設けられ、前記操作つまみ部が所定の位置のとき、前記テンプレートが前記操作つまみ部に係合するように構成している。
【実施例】
【００１７】  従来の技術を図１、図２及び図３、図４に示し、請求項２の考案を図５、図６を参照して説明する。従来の技術では、図１、図２及び図３、図４に示すように制御盤６にマーカー４を貼ったものである。【００１８】  図５、図６は、これに付加するもので、請求項１のテンプレート２がセレクトスイッチ３のつまみ部３−１に係合する穴形状のテンプレート２を有する請求項２の考案を示す。複数個のテンプレート２は、穴形状の係合部を有する円板状の薄板部材で、連結部材１及び連結部材１の２個で、向い合せに薄板部分を挟み込んでいる。このとき、テンプレート２と連結部材１は、適当な摩擦力を有し、不用意に回転、又は移動しない。【００１９】  セレクトスイッチ３の所定ポジションに合わせて、テンプレート２を回転位置決めし、複数個のセレクトスイッチ３に係合するように間隔も合わせて調整する。【００２０】  こうして複数個のテンプレート２が一体化され、セレクトスイッチ３に着脱自在となり、セレクトスイッチ３の操作後に、請求項２のセレクトスイッチの誤位置防止具を係合させたままにして置くことができる。【００２１】  部材は透明無色又は着色のプラスチック製が望ましい。【００２２】  請求項３の実施例を図７、図８及び図９、図１０を参照して説明
する。テンプレート２は、セレクトスイッチ３のつまみ部３−１外周に当接するピン２−１を有している。【００２３】  請求項２と同様に複数個のセレクトスイッチ３に係合位置決めし、複数個のテンプレート２が一体化され、セレクトスイッチ３に着脱自在となり、セレクトスイッチ３の操作後に、考案３のセレクトスイッチの誤位置防止具を係合させたままにして置くことができる。【００２４】  部材は透明無色又は着色のプラスチック製が望ましい。ピン２−１の外周は、セレクトスイッチ３のつまみ部３−１と適当な摩擦力を有するナイロン製部材が望ましい。【００２５】  請求項４の実施例を図１１、図１２を参照して説明する。円形状のセレクトスイッチ３つまみ部に表示用突起７を設け、この表示用突起７とセレクトスイッチ３のつまみ部３−１外周に係合するピン２−１を有するテンプレート２が、請求項２と同様に係合位置決めされ、複数個のテンプレート２が一体化され、セレクトスイッチ３に着脱自在となり、セレクトスイッチ３操作後に請求項４のセレクトスイッチの誤位置防止具を係合させたままにして置くことができる。【００２６】  部材は透明無色又は着色のプラスチック製が望ましい。ピン２−１の外周は、セレクトスイッチ３のつまみ部３−１と適当な摩擦力を有するナイロン製部材が望ましい。
【符号の説明】
【００２７】  １      連結部材
２      テンプレート
２−１  ピン
３      セレクトスイッチ
３−１  つまみ部
４      マーカー
５      操作内容表示
６      制御盤
７      表示用突起
【図１】
0003193951.tif 000003
【図２】
0003193951.tif 000004
【図３】
0003193951.tif 000005
【図４】
0003193951.tif 000006
【図５】
0003193951.tif 000007
【図６】
0003193951.tif 000008
【図７】
0003193951.tif 000009
【図８】
0003193951.tif 000010
【図９】
0003193951.tif 000011
【図１０】
0003193951.tif 000012
【図１１】
0003193951.tif 000013
【図１２】
0003193951.tif 000014